(57)【要約】【課題】自装置より上段に何が接続されているか容易に判断することができるオーディオ信号処理装置を提供する。【解決手段】ミキサ１Ａには、キーボード２Ａ〜２Ｄが接続されている。ミキサ１Ａは、キーボード２Ａ〜２Ｄから入力された音声信号をそれぞれ復調して、識別情報を取得するとともに、入力された音声信号から識別情報を除去して、除去後の音声信号を合成する。ミキサ１Ａは、操作部１１を備え、接続されている機器の識別情報と異なる特定識別情報の入力を受け付ける。そして、ミキサ１Ａは、合成後の音声信号に、操作部１１から入力した特定識別情報と取得した識別情報とを重畳して、下段のミキサ１Ｂへ出力するとともに、自装置の表示部１５Ａ〜１５Ｄに、各音声信号が入力された入力Ｉ／Ｆ１３Ａ〜１３Ｄと対応づけて識別情報を表示する。【選択図】図１
2010087652.tif 000002
【特許請求の範囲】
【請求項１】
複数の機器からなる機器群が接続されたオーディオ信号処理装置であって、
前記機器群のそれぞれから、自身を識別するための識別情報が重畳された音声信号が入力される入力手段と、
前記識別情報と異なる特定識別情報を入力する操作手段と、
前記入力手段から入力された音声信号を合成する合成手段と、
前記操作手段から入力された特定識別情報を前記合成手段が合成した音声信号に重畳する重畳手段と、
前記重畳手段が重畳した音声信号を出力する出力手段と、を備えたオーディオ信号処理装置。
【請求項２】
前記入力手段から入力された音声信号から識別情報を除去する除去手段を更に備え、
前記合成手段は、前記除去手段が識別情報を除去した後の音声信号を合成する請求項１に記載のオーディオ信号処理装置。
【請求項３】
前記入力手段から入力された音声信号を復調して、識別情報を取得する復調手段を更に備え、
前記重畳手段は、前記操作手段から入力された特定識別情報と、前記復調手段が取得した識別情報と、を前記合成手段が合成した音声信号に重畳する請求項１又は２に記載のオーディオ信号処理装置。
【請求項４】
前記入力手段から入力された機器群の識別情報を表示する表示手段を更に備えた請求項１〜３のいずれかに記載のオーディオ信号処理装置。
【発明の詳細な説明】
【技術分野】
【０００１】
この発明は、ＰＡ（Ｐｕｂｌｉｃ  Ａｄｒｅｓｓ）システム等において、機器の配線を容易にすることができるオーディオ信号処理装置に関する。
【背景技術】
【０００２】
接続した機器（例えば、マイクや楽器等）からの音声信号をミキシングするミキサは、多チャンネル化、多機能化が進んでいる。そこで、従来、操作性を向上させるためのユーザインタフェースが各種提案されている（例えば、特許文献１参照。）。
【０００３】
特許文献１に記載のミキサは、チャンネルのパラメータを設定する操作子群の数を少なくすることで、操作性を向上している。
【特許文献１】特開２００６−１００９４５号公報
【発明の開示】
【発明が解決しようとする課題】
【０００４】
ユーザは、各機器がどのチャンネルに接続されているかを知るために、各機器とチャンネルとの接続関係を記載したメモを参照しなければならず、煩わしい。しかも、ユーザは、メモの記載と接続関係とが異なる場合（すなわち、各機器と各チャンネルとの接続が誤っている場合）に、接続の誤りを見つけるのに苦労する。特に、ミキサが多段構成になると、下段のミキサでは、上段に何が接続されているか容易に判断することができない。また、ユーザは、各機器とチャンネルとの接続の誤りを更に見つけにくくなり、最上段のミキサでの接続の誤りを見つけることは困難である。
【０００５】
そこで、この発明では、ミキサが多段構成されている場合であっても、各チャンネルにどの機器が接続されているか容易に判別できるようにすることを目的とする。
【課題を解決するための手段】
【０００６】
この発明のオーディオ信号処理装置には、複数の機器からなる機器群が接続されている。これらの機器群は、自身を識別するための識別情報（例えば、機器の名称や品番等）を音声信号に重畳してオーディオ信号処理装置へ入力する。オーディオ信号処理装置は、各音声信号に重畳された識別情報とは異なる特定識別情報を入力する操作手段を備える。オーディオ信号処理装置は、機器群から入力された音声信号を合成して、合成後の音声信号に特定識別情報を重畳して出力する。
【０００７】
これにより、オーディオ信号処理装置は、多段構成された場合であっても、特定識別情報をユーザにとってわかりやすい内容とすれば、特定識別情報を参照することで、自装置に何が接続されているか容易に判断できる。
【０００８】
また、この発明のオーディオ信号処理装置は、識別情報が重畳された周波数帯域に特定識別情報を重畳していくと、不要な識別情報がノイズの原因となるため、接続されている機器から入力された音声信号から識別情報を除去し、識別情報を除去した後の音声信号を合成してもよい。
【０００９】
これにより、オーディオ信号処理装置は、合成後の音声信号からノイズを削減することができる。
【００１０】
更に、この発明のオーディオ信号処理装置は、接続されている機器から入力された音声信号をそれぞれ復調して、識別情報を取得する。そして、オーディオ信号処理装置は、合成した音声信号に、特定識別情報と取得した識別情報と重畳してもよい。
【００１１】
これにより、オーディオ信号処理装置は、多段構成された場合であっても、特定識別情報と識別情報とを参照することで、上段のオーディオ信号処理装置に接続されている機器についても知ることができる。
【００１２】
加えて、この発明のオーディオ信号処理装置は、接続されている機器から入力された音声信号に重畳された識別情報を表示してもよい。
【００１３】
これにより、ユーザは、オーディオ信号処理装置を一目見るだけで、接続されている機器がわかる。
【発明の効果】
【００１４】
この発明では、オーディオ信号処理装置が多段構成された場合であっても、自装置より上段に何が接続されているか容易に判断することができる。
【発明を実施するための最良の形態】
【００１５】
この発明に係るオーディオ信号処理装置について、図１を参照して説明する。図１は、オーディオ信号処理装置の使用例を説明する説明図である。
【００１６】
図１に示すように、ＰＡシステムは、２台のオーディオ信号処理装置（以下、ミキサと称す。）１Ａ，１Ｂを用いて構成されている。ミキサ１Ａには、キーボード２Ａ〜２Ｄが接続されている。また、ミキサ１Ｂには、ミキサ１Ａ、ギター３、ベース４が接続されている。ミキサ１Ａは、キーボード２Ａ〜２Ｄが出力した音声信号を合成して、ミキサ１Ｂへ出力する。ミキサ１Ｂは、ミキサ１Ａが合成した音声信号と、ギター３及びベース４からの音声信号と、を合成して出力する。このように、ＰＡシステムでは、ミキサを多段で構成することで、より多くの機器（例えば、マイクや楽器等）が出力した音声信号を合成している。なお、ミキサの台数は、２台に限らない。
【００１７】
次に、ミキサ１Ａ，１Ｂの機能、構成について、図２，３を参照して説明する。図２は、オーディオ信号処理装置の機能、構成を示すブロック図である。図３は、オーディオ信号処理装置に表示される識別情報の一例を示す図である。なお、ミキサ１Ａ，１Ｂは、機能、構成が同じであるため、ミキサ１Ａを例に挙げて説明する。また、ミキサ１Ａは、４チャンネルを有し、４台の機器に接続可能であるとして説明する。ミキサ１Ａは、操作部１１、制御部１２、入力Ｉ／Ｆ１３Ａ〜１３Ｄ、復調部１４Ａ〜１４Ｄ、表示部１５Ａ〜１５Ｄ、除去部１６Ａ〜１６Ｄ、合成部１７、重畳部１８、及び出力Ｉ／Ｆ１９から構成される。
【００１８】
操作部１１は、ユーザからの操作入力を受け付けて、制御部１２へ操作入力内容を出力する。例えば、操作部１１は、ミキサ１Ａに入力された音声信号に重畳された識別情報とは異なる特定識別情報や、各入力Ｉ／Ｆ１３Ａ〜１３Ｄから入力された音声信号のミキシング比率を指定するミキシング量の入力を受け付ける。
【００１９】
この特定識別情報には、任意の名称を用いることができ、ユーザによって都合のよい名称が用いられる。具体的に例えば、特定識別情報には、「ギター群」、「ドラムセット」等のように接続されている機器の種類を示す名称や、「○○楽曲用」のようにミキシング後の使用用途を示す名称が用いられる。また、特定識別情報には、「○○担当のアレンジ」のようにミキシングの担当者を示す名称や、「ミキサ１Ａ」のようにミキサ自体を示す名称が用いられる。更に、特定識別情報には、「ジャズ用設定」、「ロック用設定」等のように演奏する楽曲の特徴を示す名称や、「ギター強調」のように、ミキシング比率の高い楽器を示す名称が用いられる。以下、本実施形態において、特定識別情報は、「キーボード群」として説明する。
【００２０】
制御部１２は、操作部１１から入力された操作入力内容に基づいて、各機能部を制御する。例えば、制御部１２は、操作部１１から入力された特定識別情報を重畳部１８へ出力したり、操作部１１から入力されたミキシング量に基づいて合成部１７を制御したりする。
【００２１】
入力Ｉ／Ｆ１３Ａ〜１３Ｄは、ミキサ１Ａのチャンネル数（４チャンネル）に応じた数だけ存在し、それぞれが対応する機器（キーボード２Ａ〜２Ｄ）に接続される。キーボード２Ａ〜２Ｄは、ユーザの演奏操作に応じて、音声信号を発生する。キーボード２Ａ〜２Ｄは、発生した音声信号に自装置を識別する識別情報（例えば、キーボードの名称や、キーボードの品番等）を非可聴領域の周波数帯域Ａ（図４（Ａ）参照）に重畳して、入力Ｉ／Ｆ１３Ａ〜１３Ｄに入力する。入力Ｉ／Ｆ１３Ａ〜１３Ｄは、各キーボード２Ａ〜２Ｄからの音声信号をそれぞれ復調部１４Ａ〜１４Ｄ、及び除去部１６Ａ〜１６Ｄへ出力する。なお、以下、キーボード２Ａ〜２Ｄの識別情報は、それぞれ「キーボード２Ａ」〜「キーボード２Ｄ」として説明する。
【００２２】
復調部１４Ａ〜１４Ｄは、ミキサ１Ａのチャンネル数に応じた数だけ存在する。復調部１４Ａ〜１４Ｄは、それぞれ入力Ｉ／Ｆ１３Ａ〜１３Ｄから入力された音声信号を復調して、識別情報を取得する。この際、復調部１４Ａ〜１４Ｄは、周波数帯域Ａ（図４（Ａ）参照）から識別情報を取得する。そして、復調部１４Ａ〜１４Ｄは、取得した識別情報を表示部１５Ａ〜１５Ｄ、及び重畳部１８へ出力する。
【００２３】
表示部１５Ａ〜１５Ｄは、図３に示すように、ミキサ１Ａのチャンネル数に応じた数だけ存在する。表示部１５Ａ〜１５Ｄは、ぞれぞれ、復調部１４Ａ〜１４Ｄから入力された識別情報を、各音声信号が入力された入力Ｉ／Ｆ１３Ａ〜１３Ｄ及び各チャンネルの操作ボタンに対応するように表示する。
【００２４】
除去部１６Ａ〜１６Ｄは、例えば、ローパスフィルタであり、ミキサ１Ａのチャンネル数に応じた数だけ存在する。除去部１６Ａ〜１６Ｄは、それぞれ入力Ｉ／Ｆ１３Ａ〜１３Ｄから入力された音声信号から、識別情報が重畳された周波数帯域（周波数帯域Ａ（図４（Ａ）参照））より高域を取り除いて、合成部１７へ出力する。
【００２５】
合成部１７は、制御部１２からの指示に基づいて、除去部１６Ａ〜１６Ｄから入力された音声信号を合成して、重畳部１８へ出力する。
【００２６】
重畳部１８は、合成部１７から入力される合成後の音声信号に、制御部１２から入力された特定識別情報と、復調部１４Ａ〜１４Ｄから入力された識別情報と、を異なる周波数帯域に重畳して、出力Ｉ／Ｆ１９へ出力する。この際、特定識別情報は、周波数帯域Ａ（図４（Ｂ）参照）に重畳し、キーボード２Ａ〜２Ｄの識別情報は、周波数帯域Ａより高域の周波数帯域Ｂ（図４（Ｂ）参照）に重畳する。なお、特定識別情報及び識別情報を重畳する周波数帯域の詳細については、後述する。
【００２７】
出力Ｉ／Ｆ１９は、自装置の下段のミキサ１Ｂへ重畳後の音声信号を出力する。
【００２８】
以上より、ミキサ１Ａは、自装置に入力された音声信号の識別情報を、入力Ｉ／Ｆ１３Ａ〜１３Ｄ及び各チャンネルの操作ボタンに対応づけて表示部１５Ａ〜１５Ｄに表示する。このため、ユーザは、ミキサ１Ａの表示部１５Ａ〜１５Ｄを一目見るだけで、キーボード２Ａ〜２Ｄがどのチャンネルに接続されているかがわかる。また、ユーザは、キーボード２Ａ〜２Ｄが誤って接続されている場合にも、容易に判断することができる。
【００２９】
次に、特定識別情報及び識別情報を重畳する周波数帯域について、図４を参照して説明する。図４は、識別情報及び特定識別情報を重畳する周波数帯域に関する説明図である。
【００３０】
図４（Ａ）に示すように、キーボード２Ａ〜２Ｄは、非可聴領域の周波数帯域Ａに、識別情報を重畳させて、ミキサ１Ａへ出力する。ミキサ１Ａは、周波数帯域Ａから識別情報を取得するとともに、周波数帯域Ａより高域を除去する。そして、ミキサ１Ａは、図４（Ｂ）に示すように、操作部１１から入力された特定識別情報を周波数帯域Ａに重畳し、周波数帯域Ａより高域の周波数帯域Ｂにキーボード２Ａ〜２Ｄの音声信号に重畳された識別情報を重畳する。なお、ミキサ１Ａは、キーボード２Ａ〜２Ｄの識別情報をそれぞれ異なる帯域に重畳する。
【００３１】
同様に、ミキサ１Ｂは、周波数帯域Ａからギター３及びベース４の識別情報と、ミキサ１Ａの特定識別情報とを取得するとともに、周波数帯域Ａより高域を除去する。そして、ミキサ１Ｂは、各チャンネルの表示部１５Ａ〜１５Ｃにキーボード群、ギター３、ベース４の表示を行う。なお、ミキサ１Ｂにおいても、操作部１１から入力された特定識別情報を周波数帯域Ａに重畳し、周波数帯域Ａより高域の周波数帯域Ｂにギター３及びベース４の識別情報とミキサ１Ａの特定識別情報とを重畳する。
【００３２】
以上のように、周波数帯域Ａには、自装置に直接接続されている機器の特定識別情報や識別情報が重畳され、周波数帯域Ｂには、自装置の上段にミキサが存在する場合のみ、上段のミキサに接続されている機器の識別情報が重畳される。このため、ミキサ１Ｂは、上段のミキサ１Ａの特定識別情報やギター３及びベース４の識別情報と、ミキサ１Ａに接続されているキーボード２Ａ〜２Ｄの識別情報とを、確実に取得することができる。
【００３３】
また、ミキサを多段構成する場合、各ミキサが識別情報を除去せずに音声信号を合成していくと、複数の識別情報が同じ周波数帯域に重畳され、ノイズの要因となるため、ミキサ１Ａは、識別情報を除去した後の音声信号を合成している。これにより、ミキサ１Ａは、合成後の音声信号からノイズを削減することができる。
【００３４】
次に、下段のミキサ１Ｂに表示される識別情報について、図５を参照して説明する。図５は、下段のオーディオ信号処理装置に表示される識別情報の一例を示す図である。図５（Ａ）は、特定識別情報を表示する例を示し、図５（Ｂ）は、特定識別情報と識別情報とを表示する例を示す。
【００３５】
図５（Ａ）に示すように、ミキサ１Ｂは、入力Ｉ／Ｆ１３Ａにミキサ１Ａを接続しているため、周波数帯域Ａから特定識別情報「キーボード群」を取得して、表示部１５Ａに表示する。また、ミキサ１Ｂは、入力Ｉ／Ｆ１３Ｂ，１３Ｃにそれぞれギター３、ベース４を接続しているため、周波数帯域Ａからそれぞれ識別情報「ギター３」、「ベース４」取得して、表示部１５Ｂ，１５Ｃに表示する。ミキサ１Ｂは、入力Ｉ／Ｆ１３Ｄに何も接続しておらず、音声信号が入力されないため、表示部１５Ｄに何も表示しない。なお、配線が切断している場合は、音声信号が入力されないため、表示部に何も表れない。このため、ユーザは、接続されている機器の配線が切断されていることがわかる。
【００３６】
以上のように、ユーザは、ミキサ１Ａ，１Ｂを多段構成で接続した場合であっても、下段のミキサ１Ｂの各チャンネルにどの機器が接続されているかを一目見ただけでわかる。また、ユーザは、ミキサ１Ｂと機器（ミキサ１Ａ、ギター３、ベース４）との接続が誤っていないのであれば、ミキサ１Ｂより上段のミキサ１Ａにて、機器との接続が誤っていることがわかる。そのため、自装置より上段のミキサ１Ａと機器（キーボード２Ａ〜２Ｄ）との接続を確認していくことで、接続の誤りを容易に見つけることができる。
【００３７】
また、図５（Ｂ）に示すように、ミキサ１Ｂは、周波数帯域Ａから取得した特定識別情報「キーボード群」と、周波数帯域Ｂから取得した識別情報「キーボード２Ａ」〜「キーボード２Ｄ」と、を表示部１５Ａに表示してもよい。この場合、ユーザは、上段のミキサ１Ａに接続されている機器の内訳を詳しく知ることができる。
【００３８】
なお、上述の実施形態では、ミキサ１Ａは、音声信号から取得した識別情報を、合成後の音声信号に特定識別情報とともに重畳したが、ミキサ１Ａに接続されている機器の情報が不要であれば、再重畳しなくてもよい。
【００３９】
また、上述の実施形態では、ミキサ１Ａは、識別情報を除去した後の音声信号を合成したが、識別情報を除去せずに、音声信号を合成してもよい。この場合、除去部１６Ａ〜１６Ｄは、必須の構成ではない。
【００４０】
更に、上述の実施形態では、重畳部１８は、周波数分割多重方式を用いて、特別識別情報と識別情報とを異なる周波数帯域に重畳した。しかし、重畳部１８は、時分割多重方式、拡散符号多重方式、可聴領域への音響透かし技術等を用いて、特別識別情報と識別情報とを重畳してもよい。
【００４１】
更に、上述の実施形態では、上段のミキサ１Ａにキーボード２Ａ〜２Ｄを接続したが、接続される機器はキーボードに限らない。図６は、オーディオ信号処理装置の他の使用例を説明する説明図である。図６に示すように、ミキサ１Ａは、ドラムセットからの音声信号をミキシングしてもよい。ドラムセットは、複数のドラム（例えば、バスドラム、フロアタム、タムタム、及びスネアドラム）から構成される。ドラムセットからの音声信号は、各ドラムから放音される音声をマイク５Ａ〜５Ｄで収音して生成している。
【００４２】
ここで、下段のミキサ１Ｂは、上段のミキサ１Ａから識別情報としてマイクの名称や品番が入力されると、上段のミキサ１Ａに入力されている音声信号の音源（ドラム）がわからない。そこで、ミキサ１Ａは、各ドラムからの音声信号を合成して、合成後の音声信号に特定識別情報「ドラムセット」を重畳して出力する。これにより、ユーザは、上段のミキサ１Ａに入力されている音声信号の音源がドラムであることを知ることができる。
【００４３】
また、例えば、ミキサ１Ａは、キーボード、ギター、ベース等のように、異なる楽器を接続してもよい。
【図面の簡単な説明】
【００４４】
【図１】オーディオ信号処理装置の使用例を説明する説明図である。
【図２】オーディオ信号処理装置の機能、構成を示すブロック図である。
【図３】オーディオ信号処理装置に表示される識別情報の一例を示す図である。
【図４】識別情報及び特定識別情報を重畳する周波数帯域に関する説明図である。
【図５】下段のオーディオ信号処理装置に表示される識別情報の一例を示す図である。
【図６】オーディオ信号処理装置の他の使用例を説明する説明図である。
【符号の説明】
【００４５】
１…ミキサ，１１…操作部，１２…制御部，１３…入力Ｉ／Ｆ，１４…復調部，１５…表示部，１６…除去部，１７…合成部，１８…重畳部，１９…出力Ｉ／Ｆ，２…キーボード，３…ギター，４…ベース，５…マイク
【図１】
2010087652.tif 000003
【図２】
2010087652.tif 000004
【図３】
2010087652.tif 000005
【図４】
2010087652.tif 000006
【図５】
2010087652.tif 000007
【図６】
2010087652.tif 000008